(57)【要約】【課題】パーキングブレーキの異常を誤って検出するのを防止しながらも、路面勾配に応じたブレーキ力が発生していない場合には、確実に警報を出力する電動パーキングブレーキ用警報装置を提供すること。【解決手段】電動パーキングブレーキ用警報装置１は、路面勾配を測定する路面勾配測定手段１０と、警報を出力する警報出力手段１１と、モータ５を駆動してブレーキケーブル２３の張力を制御する電動パーキングブレーキ１００におけるブレーキケーブル２３の張力を測定する張力測定手段１２と、路面勾配測定手段１０により測定された路面勾配に基づいてブレーキケーブル２３の目標張力を算出する目標張力算出手段１３と、を備え、警報出力手段１１は、モータ５を駆動してから所定時間経過後に張力測定手段１２により測定された張力と目標張力算出手段１３により算出された目標張力との関係に基づいて警報を出力する。【選択図】図１
2007216923.tif 000002
【特許請求の範囲】
【請求項１】
路面勾配を測定する路面勾配測定手段と、
警報を出力する警報出力手段と、
モータを駆動してブレーキケーブルの張力を制御する電動パーキングブレーキにおける該ブレーキケーブルの張力を測定する張力測定手段と、
前記路面勾配測定手段により測定された路面勾配に基づいて前記ブレーキケーブルの目標張力を算出する目標張力算出手段と、を備え、
前記警報出力手段は、前記モータを駆動してから所定時間経過後に前記張力測定手段により測定された張力と前記目標張力算出手段により算出された目標張力との関係に基づいて警報を出力する、
ことを特徴とする電動パーキングブレーキ用警報装置。
【請求項２】
前記警報出力手段は、前記モータを駆動してから所定時間経過後に前記張力測定手段により測定された張力が前記目標張力算出手段により算出された目標張力未満である場合に、警報を出力する、
ことを特徴とする電動パーキングブレーキ用警報装置。
【請求項３】
前記警報出力手段は、前記路面勾配測定手段により測定された路面勾配が所定値以上である場合に、警報を出力する、
ことを特徴とする請求項１または２に記載の電動パーキングブレーキ用警報装置。
【請求項４】
前記警報出力手段は、前記路面勾配測定手段により測定された路面勾配が所定値未満の場合であって、かつ、前記モータを駆動してから所定時間経過後に前記張力測定手段により測定された張力が前記目標張力算出手段により算出された目標張力未満である場合に、警報を出力する、
ことを特徴とする請求項１乃至３の何れか一項に記載の電動パーキングブレーキ用警報装置。
【発明の詳細な説明】
【技術分野】
【０００１】
本発明は、電動パーキングブレーキ用警報装置に関し、より詳細には、勾配センサにより測定された路面勾配と、電動パーキングブレーキを作動させてから所定時間経過後のブレーキケーブルの張力とに基づいて、警報を出力するか否かを判断する電動パーキングブレーキ用警報装置に関する。
【背景技術】
【０００２】
パーキングブレーキには、従来の手動によるパーキングブレーキの他に、電動アクチュエータを制御してブレーキアセンブリに接続されるブレーキケーブルを巻き取りながら引っ張ることにより制動力を発生させて車輪を回転不可能にし、かつ、巻き取りを終えた後も、ラチェット機構等により機械的に車輪の回転不可能状態を保持する電動パーキングブレーキが存在する。
【０００３】
係る電動パーキングブレーキは、電動アクチュエータに供給される電流を制御することにより所望とする制動力を過不足無く得られる点で、制動力の細かな制御ができない従来の手動によるパーキングブレーキと異なる。
【０００４】
また、係る電動パーキングブレーキは、駐車の際に使用され、車輪が回転して車両が移動するのを防止するが、路面勾配が大きい位置に車両を駐車する場合には、車輪を回転不可能に保持できない場合がある。また、ブレーキケーブルが金属疲労等により断絶していたり、伸びたりしている場合、或いは、ブレーキケーブルの途中に引っ掛かり等の不具合がある場合といったブレーキケーブルの異常により、制動力を適切に作動できない場合がある。
【０００５】
従来の手動によるパーキングブレーキには、勾配センサによって勾配を測定し、かつ、ブレーキ力検出手段によりブレーキ力を測定して、勾配に見合ったブレーキ力が発生していない場合には警報を出力し、或いは、別の制動手段を自動的に駆動してブレーキ力を補い、車輪が回転して車両が移動するのを防止する安全装置を備えたものや（例えば、特許文献１参照。）、電動パーキングブレーキを作動させる際に、電動アクチュエータに印加される電流とブレーキケーブルのストローク（長さの変位）との関係から、ブレーキケーブルの異常を検出するもの（例えば、特許文献２参照。）が知られている。
【０００６】
一方で、勾配センサは、荷物の積載状況や、温度特性による影響を受け易く、例えば、測定値が２０％であっても、実際の勾配が１０乃至３０％の間にばらつく場合がある。従って、勾配が大きいとして警報を出力させる場合の閾値は、勾配センサによる測定値のバラツキの大きさに応じて調整される必要があり、例えば、実際の勾配が２０％の場合に確実に警報を出力させたい場合には、このバラツキの大きさを考慮すると、閾値を１０％とする必要があり、平坦路（勾配０％）であっても警報を出力させてしまう場合もある。
【特許文献１】実開平６−８１３０号公報
【特許文献２】特開２００１−１０６０６０号公報
【発明の開示】
【発明が解決しようとする課題】
【０００７】
以上の点から、特許文献１に記載の考案は、温度特性や荷物の積載状況に応じて勾配センサの測定値にバラツキが生じる場合を考慮しておらず、勾配センサの測定値が実際の路面勾配と異なる場合に誤ってパーキングブレーキの異常を検出し不必要な警報を出力してしまうという問題を生じさせる。また、特許文献２に記載の発明も、駐車位置の勾配について言及しておらず、実際の路面勾配が大きい場合に誤ってパーキングブレーキの異常を検出してしまうという問題を生じさせる場合がある。
【０００８】
係る問題に鑑み、本発明は、パーキングブレーキの異常を誤って検出するのを防止しながらも、路面勾配に応じたブレーキ力が発生していない場合には、確実に警報を出力する電動パーキングブレーキ用警報装置を提供することを目的とする。
【課題を解決するための手段】
【０００９】
上述の目的を達成するために、第１の発明に係る電動パーキングブレーキ用警報装置は、路面勾配を測定する路面勾配測定手段と、警報を出力する警報出力手段と、モータを駆動してブレーキケーブルの張力を制御する電動パーキングブレーキにおける該ブレーキケーブルの張力を測定する張力測定手段と、前記路面勾配測定手段により測定された路面勾配に基づいて前記ブレーキケーブルの目標張力を算出する目標張力算出手段と、を備え、前記警報出力手段は、前記モータを駆動してから所定時間経過後に前記張力測定手段により測定された張力と前記目標張力算出手段により算出された目標張力との関係に基づいて警報を出力することを特徴とする。
【００１０】
また、第２の発明は、第１の発明に係る電動パーキングブレーキ用警報装置において、前記警報出力手段は、前記モータを駆動してから所定時間経過後に前記張力測定手段により測定された張力が前記目標張力算出手段により算出された目標張力未満である場合に、警報を出力することを特徴とする。
【００１１】
また、第３の発明は、第１または第２の発明に係る電動パーキングブレーキ用警報装置において、前記警報出力手段は、前記路面勾配測定手段により測定された路面勾配が所定値以上である場合に、警報を出力することを特徴とする。
【００１２】
また、第４の発明は、第１乃至第３の何れかの発明に係る電動パーキングブレーキ用警報装置において、前記警報出力手段は、前記路面勾配測定手段により測定された路面勾配が所定値未満の場合であって、かつ、前記モータを駆動してから所定時間経過後に前記張力測定手段により測定された張力が前記目標張力算出手段により算出された目標張力未満である場合に、警報を出力することを特徴とする。
【発明の効果】
【００１３】
上述の手段により、本発明は、パーキングブレーキの異常を誤って検出するのを防止しながらも、路面勾配に応じたブレーキ力が発生していない場合には、確実に警報を出力する電動パーキングブレーキ用警報装置を提供することができる。
【発明を実施するための最良の形態】
【００１４】
以下、図面を参照しつつ、いくつかの実施例に分けて、本発明を実施するための最良の形態の説明を行う。
【実施例１】
【００１５】
図１は、電動パーキングブレーキ用警報装置の構成例を示す図であり、電動パーキングブレーキ用警報装置１は、路面勾配測定手段１０、警報出力手段１１、張力測定手段１２および目標張力算出手段１３を有し、勾配センサ２、警報出力装置３、張力センサ４、モータ５およびブレーキスイッチ６に接続される。なお、電動パーキングブレーキ用警報装置１は、勾配センサ２、警報出力装置３、張力センサ４、モータ５およびブレーキスイッチ６にＣＡＮ（Ｃａｒ  Ａｒｅａ  Ｎｅｔｗｏｒｋ）バスを介して接続されてもよい。
【００１６】
勾配センサ２は、路面の勾配を測定するセンサであり、例えば、傾斜による液面変化を静電容量変化として検出するセンサや、圧電素子を用いたジャイロセンサ等がある。また、勾配センサ２は、測定した勾配の値を電動パーキングブレーキ用警報装置１に送信する。
【００１７】
警報出力装置３は、警報を出力させるための装置であり、例えば、車両に搭載されるホーン、音声を出力するスピーカ、警報用に特別に用意されたサイレン、アラームまたはブザーである。また、警報出力装置３は、ＣＡＮバスやシリアル通信を介して接続されたカーナビゲーションシステムのディスプレイやインストルメントパネルの表示部に警告メッセージを表示させるものであってもよい。なお、警報出力装置３は、警報を出力させるための指示命令を電動パーキングブレーキ用警報装置１から受信した場合に警報を出力させる。
【００１８】
張力センサ４は、ブレーキケーブル２３の張力を測定するためのセンサであり、例えば、材料の磁気特性が機械的荷重によって変化するという磁歪効果を応用したセンサや歪ゲージを利用したセンサである。
【００１９】
モータ５は、電気エネルギーを回転エネルギーに変換する電動アクチュエータであり、例えば、供給電流に応じてブレーキケーブル２３の張力を発生させ、電動パーキングブレーキ１００の制動力を細かく制御することができる。
【００２０】
ブレーキスイッチ６は、電動パーキングブレーキ１００のオンオフを切り替えるスイッチであり、例えば、インストルメントパネルの一部に配置され、スイッチをオンすることにより、電動パーキングブレーキ１００を駆動して車輪に制動力を与えるようにする。なお、電動パーキングブレーキ１００は、ブレーキスイッチ６がオンされなくとも、シフト位置がＰ（パーキング）レンジやＮ（ニュートラル）レンジにセットされた場合に自動的に作動するようにしてもよい。
【００２１】
次に、電動パーキングブレーキ用警報装置１が有する各手段について説明する。
【００２２】
路面勾配測定手段１０は、勾配センサ２からの信号を受信して路面勾配を測定する手段であり、警報出力手段１１は、警報出力装置３に警報を出力させる手段であり、張力測定手段１２は、張力センサ４からの信号を受信してブレーキケーブル２３の張力を測定する手段であり、目標張力算出手段１３は、路面勾配測定手段１０が測定した路面勾配から、その位置に駐車した車両の車輪が回転しないようにするために必要なブレーキケーブル２３の張力（以下、「目標張力」という。）を算出する手段である。
【００２３】
これらの手段は、電動パーキングブレーキ用警報装置１に備えられたＲＯＭ（Ｒｅａｄ  Ｏｎｌｙ  Ｍｅｍｏｒｙ）（図示せず。）に記憶され、ＲＡＭ（Ｒａｎｄｏｍ  Ａｃｃｅｓｓ  Ｍｅｍｏｒｙ）（図示せず。）に展開されて、電動パーキングブレーキ用警報装置１の制御部であるコンピュータ（図示せず。）に各作業を実行させるプログラムであってもよく、電子回路で構成された装置であってもよい。
【００２４】
図２は、電動パーキングブレーキ１００の構成例を示す図である。電動パーキングブレーキ１００は、モータ５により駆動されるギヤ２０、ギヤ２０と係合して回転するスピンドル２１、スピンドル２１の回転により移動するバランサ２２、ブレーキケーブル２３、ブレーキシュー２６、２７から構成される。
【００２５】
車両のシフト位置がＰレンジにセットされ、ブレーキスイッチ６がオンされると、電動パーキングブレーキ１００は、モータ５を回転させてギヤ２０に係合されたスピンドル２１を回転させる。なお、ギヤ２０は、ラチェット機構を備え、モータ５が回転を終了した後にギヤ２０が逆回転して電動パーキングブレーキ１００の制動力が低減することがないようにする。
【００２６】
スピンドル２１は、例えば、軸上にボールネジを有し、回転によりバランサ２２を図中の上下に移動させる。
【００２７】
バランサ２２は、左右の車輪におけるブレーキアセンブリ２４、２５に接続されるブレーキケーブル２３のストロークまたは張力を左右均等に調節するための部品であり、スピンドル２１の回転により、図中を上下に移動する。
【００２８】
なお、破線で示すバランサ２２’は、制動力を発生させるようスピンドル２１が回転を開始する前のバランサ２２の位置であって、制動力を発生させていない状態でのバランサ２２の位置を示す。
【００２９】
ブレーキケーブル２３は、一端がバランサ２２に接続され、他端が左右のブレーキアセンブリ２４、２５におけるブレーキシュー２６、２７に接続される金属製のケーブルであり、これらケーブルの張力を測定するために張力センサ４が中間に取り付けられる。なお、張力センサ４は、左右のブレーキシュー２６、２７に接続されるブレーキケーブル２３の何れか一方に設置されてもよく、双方に設置されてもよい。
【００３０】
制動力を発生させるようスピンドル２１が回転すると、バランサ２２は、矢印Ａの方向に移動し、左右のブレーキアセンブリ２４、２５におけるブレーキシュー２６、２７に接続されるブレーキケーブル２３の張力を増大させて、左右のブレーキシュー２６、２７を左右のブレーキドラム２８、２９に接触させるようにする。一方、制動力を解除するようスピンドル２１が回転すると、バランサ２２は、矢印Ａとは反対の方向に移動し、左右のブレーキアセンブリ２４、２５におけるブレーキシュー２６、２７に接続されるブレーキケーブル２３の張力を減少させて、左右のブレーキシュー２６、２７を左右のブレーキドラム２８、２９から離すようにする。
【００３１】
なお、破線で示すブレーキシュー２６’、２７’は、それぞれ、制動力を発生させるようスピンドル２１が回転を開始する前の左右のブレーキシュー２６、２７の位置であって、制動力を発生させない状態での左右のブレーキシュー２６、２７の位置を示す。
【００３２】
制動力を発生させるようスピンドル２１が回転すると、左右のブレーキシュー２６、２７は、矢印Ｂの方向に移動し、左右それぞれのブレーキドラム２８、２９と接触して制動力を発生させる。
【００３３】
次に、電動パーキングブレーキ用警報装置１が警報を出力させる場合の処理について説明する。電動パーキングブレーキ用警報装置１は、勾配センサ２が所定値以上の勾配を検出した場合には、直ちに警報を出力させるようにし、勾配センサ２が所定値未満の勾配を検出した場合には、誤警報を出力しないよう、所定時間経過後において、張力センサ４が測定したブレーキケーブル２３の張力を考慮して警報を出力すべきか否かを判断する。なお、電動パーキングブレーキ用警報装置１は、勾配センサ２が所定値以上の勾配を検出した場合であっても、張力センサ４が測定したブレーキケーブル２３の張力を考慮して警報を出力すべきか否かを判断するようにしてもよい。処理の簡素化のためである。
【００３４】
この構成により、電動パーキングブレーキ用警報装置１は、勾配センサ２の測定値のバラツキによる誤警報の発生を確実に防止しながら、路面勾配に応じたブレーキ力が発生していない場合を確実に検出して警報を出力することができるという効果が得られる。
【００３５】
図３は、電動パーキングブレーキ用警報装置１が警報を出力させる処理の流れを示すフローチャートである。
【００３６】
最初に、電動パーキングブレーキ用警報装置１は、車両が停車し、ブレーキペダルが踏み込まれた状態で、かつ、シフト位置がＰレンジに設定された場合に、路面勾配測定手段１０により勾配センサ２から信号を受信して路面勾配を測定する(ステップＳ１)。なお、電動パーキングブレーキ用警報装置１は、シフト位置がＰレンジに設定されていなくても、車両が停車し、ブレーキペダルが踏み込まれた状態で、ブレーキスイッチ６がオンされた場合に、路面勾配を測定するようにしてもよい。
【００３７】
次に、電動パーキングブレーキ用警報装置１は、路面勾配測定手段１０により測定された勾配の測定値が、例えば、３０％未満であるか否かを判断する（ステップＳ２）。
【００３８】
勾配の測定値が３０％以上であると判断された場合（ステップＳ２のＮＯ）、電動パーキングブレーキ用警報装置１は、直ちに警報出力手段１１により警報出力装置３から警報を出力させる（ステップＳ３）。勾配センサ２による測定値のバラツキを考慮してもなお実際の勾配が大きく、警報を出力すべき状態であると判断できるからである。なお、警報出力手段１１は、例えば、「勾配が大きいため、駐車位置を変更して下さい」や「駐車時はシフト位置をＰレンジにして下さい」といった警告メッセージをディスプレイに表示させるようにしてもよい。
【００３９】
一方、勾配の測定値が３０％未満であると判断された場合（ステップＳ２のＹＥＳ）、電動パーキングブレーキ用警報装置１は、この時点では警報出力手段１１により警報出力装置３から警報を出力させないようにする。勾配センサ２の測定値のバラツキにより、実際の勾配が小さい場合もあり、必要な制動力を発生させることができる可能性があるからである。
【００４０】
その後、電動パーキングブレーキ用警報装置１は、路面勾配測定手段１０により測定された勾配の測定値に基づいて、目標張力算出手段１３により目標張力を算出する（ステップＳ４）。
【００４１】
目標張力は、例えば、勾配の増大に比例して増大するように所定の計算式に基づいて算出される。また、目標張力は、下り坂（車両が下方を向く）の場合と上り坂（車両が上方を向く）の場合とで変化させるようにしてもよく、車両重量、路面状態、周囲温度等を考慮して変化させるようにしてもよい。
【００４２】
目標張力が算出されると、電動パーキングブレーキ用警報装置１は、目標張力を達成するよう電動パーキングブレーキ１００の制御を開始し、モータ５を駆動させてブレーキケーブル２３を巻き取り、左右のブレーキシュー２６、２７をそれぞれブレーキドラム２８、２９に押し付けて車輪を制動する（ステップＳ５）。なお、電動パーキングブレーキ用警報装置１は、電動パーキングブレーキ１００の制御開始と同時に、時間の計測を開始する。
【００４３】
その間、張力測定手段１２は、張力センサ４を介してブレーキケーブル２３の張力を測定し（ステップＳ６）、電動パーキングブレーキ用警報装置１は、測定された張力と目標張力とを比較する（ステップＳ７）。
【００４４】
測定された張力が目標張力以上になった場合には（ステップＳ７のＹＥＳ）、電動パーキングブレーキ用警報装置１は、モータ５の駆動を停止し、処理を終了する。勾配に見合う制動力が得られ、車輪を確実に制動したと判断できるからである。
【００４５】
一方、測定された張力が目標張力に満たない場合には（ステップＳ７のＮＯ）、電動パーキングブレーキ用警報装置１は、電動パーキングブレーキ１００の制御開始からの経過時間を取得し（ステップＳ８）、電動パーキングブレーキ１００の制御を開始してから第１の所定時間（例えば、３秒）が経過するまでは（ステップＳ８のＮＯ）、ブレーキケーブル２３の巻き取りを継続させ、ブレーキケーブル２３の張力を増大させるようにする。
【００４６】
電動パーキングブレーキ１００の制御を開始してから第１の所定時間（例えば、３秒）が経過したにもかかわらず未だ目標張力を実現できない場合には（ステップＳ８のＹＥＳ）、電動パーキングブレーキ用警報装置１は、警報出力手段１１により警報出力装置３から警報を出力させる（ステップＳ９）。電動パーキングブレーキ用警報装置１は、目標張力を達成するのに標準より長い時間を要したことから、ブレーキケーブル２３が伸びていたり金属疲労による断絶があったりといった異常状態が推認され、路面勾配に見合う制動力が得られないと判断できるからである。
【００４７】
その後、電動パーキングブレーキ用警報装置１は、電動パーキングブレーキ１００の制御開始からの経過時間の取得を継続し（ステップＳ１０）、電動パーキングブレーキ１００の制御を開始してから第２の所定時間（例えば、３０秒）が経過するまでは（ステップＳ１０のＮＯ）、ブレーキケーブル２３の巻き取りを継続させ、ブレーキケーブル２３の張力を増大させるようにする。
【００４８】
電動パーキングブレーキ１００の制御を開始してから第２の所定時間（例えば、３０秒）が経過したにもかかわらず未だ目標張力を実現できない場合には（ステップＳ１０のＹＥＳ）、電動パーキングブレーキ用警報装置１は、電動パーキングブレーキ１００の異常が確定したとして、警報出力手段１１により警報出力装置３からステップＳ９の場合とは異なる警報を出力させる。ステップＳ９の場合とは状況が異なることを明確にするためであり、この場合、警報出力手段１１は、「ブレーキ異常」の警告メッセージをディスプレイに表示させるようにしてもよい。
【００４９】
なお、電動パーキングブレーキ１００の制御を開始してから第１の所定時間（例えば、３秒）が経過した後、目標張力が達成できた場合に、警報出力手段１１により警報出力装置３からステップＳ９および異常確定の場合とは異なる警報を出力させるようにしてもよい。目標張力を達成するのに標準より長い時間を要したことに変わりは無く、車輪の制動を確実にするためにも、警報を出力したほうがよいからである。なお、この場合、「ブレーキのメンテナンスが必要です」や「勾配が大きいため駐車位置を変更して下さい」といった警告メッセージをディスプレイに表示させるようにしてもよい。
【００５０】
図４は、電動パーキングブレーキ１００の制御を開始してからの経過時間と、ブレーキケーブル２３の張力との関係を示すグラフである。図４は、横軸に電動パーキングブレーキ１００の制御開始からの経過時間（秒）を、縦軸にブレーキケーブル２３の張力を示す。
【００５１】
図４において、電動パーキングブレーキ用警報装置１は、路面勾配測定手段１０により、例えば、３０％以上の勾配を検出すると直ちに警報を出力する。警報を出力するタイミングは、丸印Ｃ１で示すタイミングである。
【００５２】
さらに、電動パーキングブレーキ用警報装置１は、経過時間が３秒となった時点におけるブレーキケーブル２３の張力が未だ目標張力に満たないために（丸印Ｃ２参照。）、別の警報を出力する。
【００５３】
また、図４は、経過時間が６秒となった時点でブレーキケーブル２３の張力が目標張力に達したことを示すが（丸印Ｃ３参照。）、電動パーキングブレーキ用警報装置１は、この時点で、更に別の警報を出力するようにし、電動パーキングブレーキ１００のメンテナンスを促すようにしてもよい。電動パーキングブレーキ１００は、最終的に目標張力を達成することはできたが、第１の所定時間（例えば、３秒）内には目標張力を達成できておらず、ブレーキケーブル２３が伸びている等の異常状態が発生していると推認できるからである。
【００５４】
この構成により、電動パーキングブレーキ用警報装置１は、勾配センサ２により測定された勾配が所定値（例えば、３０％）以上であれば、電動パーキングブレーキ１００の制御開始後直ちに警報を出力し、かつ、電動パーキングブレーキ１００の制御開始後、第１の所定時間（例えば、３秒）が経過した時点で目標張力を達成できない場合にも警報を出力するので、荷物の積載状況や温度特性により勾配センサ２の測定値にバラツキがあっても（例えば、±１０％の誤差であり、測定値が３０％の場合に、実際の勾配が２０％乃至４０％となる。）、勾配が大きい場合は直ちに、勾配が比較的小さい場合であっても確実かつ適切に警報を出力できるという効果が得られる。
【００５５】
また、電動パーキングブレーキ用警報装置１は、勾配センサ２により測定された勾配が所定値（例えば、３０％）未満の場合には、電動パーキングブレーキ１００の制御開始後、第１の所定時間（例えば、３秒）が経過した時点で目標張力を達成できていない場合に限り警報を出力するので、バラツキを有する勾配センサ２の測定値のみに基づいて警報を出力することなく、誤警報を防止できるという効果が得られる。
【００５６】
また、電動パーキングブレーキ用警報装置１は、上述のような複数段階の警報出力条件を備えることにより、勾配センサ２のみに基づいて警報を出力する際の勾配の閾値を高めに設定することができ、誤警報を防止できるという効果が得られる。
【００５７】
また、電動パーキングブレーキ用警報装置１は、電動パーキングブレーキ１００の制御開始後、第２の所定時間（例えば、３０秒）が経過した時点で目標張力を達成できない場合にも警報を出力するので、より正確なブレーキケーブル２３の張力測定に基づいて、適切な警報出力を行うことができるという効果が得られる。
【００５８】
さらに、電動パーキングブレーキ用警報装置１は、第１の所定時間（例えば、３秒）が経過した時点で、警報を出力するので、運転者等が第２の所定時間（例えば、３０秒）を待たずして車両から離れ警報を聞き逃してしまうのを確実に防止することができるという効果が得られる。
【００５９】
以上、本発明の好ましい実施例について詳説したが、本発明は、上述した実施例に制限されることはなく、本発明の範囲を逸脱することなく、上述した実施例に種々の変形及び置換を加えることができる。
【００６０】
例えば、上述の実施例では、第１の所定時間および第２の所定時間を固定値とするが、第１の所定時間（例えば、３秒）は、運転者が車両から離れる前に警報を出力するために十分短いものとし、一方で、第２の所定時間（例えば、３０秒）は、精度の高い張力測定を行うために十分長いものとしながら、勾配センサ２の測定値に応じてそれぞれ変化させるようにしてもよい。また、所定時間は、さらに、第３、第４或いはそれ以上の設定を有するものであってもよい。
【００６１】
また、電動パーキングブレーキ用警報装置１は、目標張力を達成するまでに要した時間が短過ぎた場合に警報を出力するようにしてもよい。ブレーキケーブル２３に詰まりや引っ掛かり等があり、目標張力を達成しているが、制動力が発生していない場合も考えられるからである。
【００６２】
また、電動パーキングブレーキ用警報装置１は、図４に示すような経過時間と張力との関係を示すグラフの形状から警報出力の要否を判断してもよい。張力の瞬間値だけでなく張力変化の推移を監視することにより、電動パーキングブレーキ１００の状態をより正確に判断できるからである。
【図面の簡単な説明】
【００６３】
【図１】電動パーキングブレーキ用警報装置の構成例を示す図である。
【図２】電動パーキングブレーキの構成例を示す図である。
【図３】電動パーキングブレーキ用警報装置が警報を出力させる処理の流れを示すフローチャートである。
【図４】電動パーキングブレーキの制御開始からの経過時間と、ブレーキケーブルの張力との関係を示すグラフである。
【符号の説明】
【００６４】
１                電動パーキングブレーキ用警報装置
２                勾配センサ
３                警報出力装置
４                張力センサ
５                モータ
６                ブレーキスイッチ
１０              路面勾配測定手段
１１              警報出力手段
１２              張力測定手段
１３              目標張力算出手段
２０              ギヤ
２１              スピンドル
２２、２２’      バランサ
２３              ブレーキケーブル
２４、２５        ブレーキアセンブリ
２６、２６’、２７、２７’  ブレーキシュー
２８、２９        ブレーキドラム
１００            電動パーキングブレーキ
Ａ、Ｂ            矢印
Ｃ１、Ｃ２、Ｃ３  丸印
【図１】
2007216923.tif 000003
【図２】
2007216923.tif 000004
【図３】
2007216923.tif 000005
【図４】
2007216923.tif 000006